(57)【要約】【課題】インターホン機能のマイク優先権の設定を判断する時、筐体接触によっても音が発生してしまう。【解決手段】給湯機等の住宅設備機器と該機器を遠隔操作するための複数のリモコン間で相互にデータ送受信を行うための送受信装置を有し、前記複数のリモコン間の通信方式としてデジタル変調を利用した通信を行い、前記複数のリモコン間で音声データも送受信できるよう構成されかつ夫々のリモコンにマイクとスピーカーを備えていわゆるインターホン機能とを有している住宅設備機器用リモコンシステムにおいて、前記リモコンは自分自身への接触を検出する歪センサーを有するとともに、前記マイクの入力の大きさと前記歪センサーの出力に応じて、前記リモコンでの前記インターホン機能の話者側を決定することを特徴とする。【選択図】  図４
2004316952.tif 000002
【特許請求の範囲】
【請求項１】
給湯機等の住宅設備機器と該機器を遠隔操作するための複数のリモコン間で相互にデータ送受信を行うための送受信装置を有し、前記複数のリモコン間の通信方式としてデジタル変調を利用した通信を行い、前記複数のリモコン間で音声データも送受信できるよう構成されかつ夫々のリモコンにマイクとスピーカーを備えていわゆるインターホン機能とを有している住宅設備機器用リモコンシステムにおいて、前記リモコンは自分自身への接触を検出する歪センサーを有するとともに、前記マイクの入力の大きさと前記歪センサーの出力に応じて、前記リモコンでの前記インターホン機能の話者側を決定することを特徴とする住宅設備機器用リモコンシステム。
【請求項２】
請求項１記載の住宅設備機器用リモコンシステムにおいて、前記歪センサーは前記リモコンの操作部は操作有無の判別を行うセンサーと共用にすることを特徴とする住宅設備機器用リモコンシステム。
【発明の詳細な説明】
【０００１】
【発明の属する技術分野】
本発明は、浴室や台所等に給湯を行う給湯機を始めとする各種住宅設備機器を遠隔操作・制御するために使用されるリモコン通信システムに関する。
【０００２】
【従来の技術】
近年、一般家庭において、浴室や台所などに給湯を行う給湯機を遠隔操作するために、浴室内や台所の壁面などにリモコンが設置され、該リモコンでのキー操作により、給湯機の始動・停止、湯温や湯量の設定などが行えるような給湯システムが普及している。図１は、こうした給湯システムの配置の一例を示す概略図である。この例では、屋外にガス燃焼式の給湯機（熱源）１が設置され、屋内の浴室５及び台所６に浴室リモコン２及び台所リモコン３がそれぞれ設置されている。給湯機１、浴室リモコン２及び台所リモコン３は居宅の壁面内や屋根裏等に配設された通信線４に接続されており、浴室リモコン２及び台所リモコン３のいずれからも給湯機１の運転に関する操作が可能となっている。なお、給湯機１がガス燃焼式でなく電気式である場合には通常屋内に設置されるが、その場合でも、通信線４を介してリモコン２、３と接続される点は同様である。
最近、入浴者の安全を台所から確認する等の目的で、浴室リモコン２の操作者（入浴者）Ｐ１と台所リモコン３の操作者Ｐ２との間で通話が可能であるような、いわゆるインターホン機能を有する給湯システムが提案されている。こうしたシステムでは、制御データを送受するために利用される通信線４を介して音声情報も送受できるようにすることが望ましい。更に、操作しなくても話者が切り替わるいわゆるハンズフリーのシステムも提案されている。（例えば、特許文献１参照。）
【０００３】
【特許文献１】
特開２００２−３５４１３８公報（第２頁）
【０００４】
【発明が解決しようとする課題】
上記のようにインターホン機能でハンズフリーを実現するためには、入力された音声の音量が予め設定された閾値を超えたかどうかの判断が必要になる。しかしながらリモコンの筐体に意図せず触れてしまうとその接触による振動が音になって伝わってしまうこともあるため、操作者の意図とは別にインターホン機能でいうところの話者となってしまい非常に使いづらいものとなってしまう。
【０００５】
【課題を解決するための手段及びその作用・効果】
本発明はこのような課題を解決するために成されたものであり、第一の発明は、給湯機等の住宅設備機器と該機器を遠隔操作するための複数のリモコン間で相互にデータ送受信を行うための送受信装置を有し、前記複数のリモコン間の通信方式としてデジタル変調を利用した通信を行い、前記複数のリモコン間で音声データも送受信できるよう構成されかつ夫々のリモコンにマイクとスピーカーを備えていわゆるインターホン機能とを有している住宅設備機器用リモコンシステムにおいて、前記リモコンは自分自身への接触を検出する歪センサーを有するとともに、前記マイクの入力の大きさと前記歪センサーの出力に応じて、前記リモコンでの前記インターホン機能の話者側を決定することを特徴とする。
これにより、入力された音声の音量が予め設定された閾値を超えたかどうかとリモコンの筐体に意図せず触れたその接触による振動が音との判断により、インターホン機能でいうところの話者機能を切替えるので、意図せずリモコンに触れてしまったその接触による不要な話者切替えを無くすことができる。
【０００６】
第二の発明は、請求項１記載の住宅設備機器用リモコンシステムにおいて、前記歪センサーは前記リモコンの操作部は操作有無の判別を行うセンサーと共用にすることを特徴とする。
これにより、操作部の歪センサーを兼用することで、インターホン機能使用中の操作部の操作と通常の操作とで判断を異ならせることで使い勝手が向上し、部品の追加も必要ない。
【０００７】
【発明の実施の形態】
以下、本発明の実施の形態を、図面により詳細に説明する。
図１は、本実施例を適用する給湯システムを表す。この給湯システムでは、従来通り、浴室リモコン２及び台所リモコン３からキー操作を行うと、その操作に応じた制御データが通信線４を介して給湯機１へと伝送され、給湯機１の動作が制御されるようになっている。また、それ以外に、浴室リモコン２と台所リモコン３との間で通話が行えるようになっている。浴室リモコン２及び台所リモコン３は基本的には同一の構成を有している。
【０００８】
図２はこのリモコンの電気系の機能的構成を示すブロック図である。制御の中心には、ＣＰＵ１０１、タイマ１０２、ＲＯＭ１０３、ＲＡＭ１０４等を含む中央制御部１０が据えられ、中央制御部１０には通信処理部１１、操作部１２、表示制御部１３、音声入出力制御部１５等が接続されている。  通信処理部１１は、機能的に搬送波信号生成部１１１、分離・混合部１１２、変復調部１１３等を備える。搬送波信号生成部１１１はＡＳＫ変調に必要な２５０ｋＨｚと１ＭＨｚの２つの搬送波信号を生成する。
【０００９】
図３に示したように、２５０ｋＨｚの搬送波は制御データのＡＳＫに、１ＭＨｚの搬送波は音声データのＡＳＫに利用される。変復調部１１３は変調部と復調部とから成り、変調部では中央制御部１０から与えられるデジタル信号に応じて２つの搬送波信号をそれぞれ振幅変調する。一方、復調部では分離・混合部１１２から与えられる２系統のＡＳＫ信号を検波して、元のデジタル信号列を取り出して中央制御部１０へと送る。分離・混合部１１２は、送信時には２系統のＡＳＫ信号を重畳して通信線４へと送出し、受信時には、重畳されている２系統のＡＳＫ信号を周波数帯域で分離して変復調部１１３へと与える。操作部１２は給湯機１の動作制御のための各種操作キーを含み、これらの操作キーが操作される度に、操作内容に応じた信号を中央制御部１０へ送る。表示制御部１３は中央制御部１０の指示に従って、ＬＥＤやＬＣＤから成る表示器１４を用いて視覚的に情報を表示する。また、音声入出力制御部１５は、マイク１７から入力された音声信号を適宜に増幅した後にデジタル信号に変換して中央制御部１０へと送る一方、スピーカ１６を用いて他のリモコンから送られて来た音声やブザー音等を出力する。中央制御部１０は、操作部１２からの操作指示信号や、通信処理部１１を通じて給湯機１から送られて来る各種信号及び他のリモコンから送られて来る音声信号を所定の方法で処理し、その処理結果に応じて表示制御部１３や音声入出力制御部１５へ情報表示や音声出力に関する信号を送ったり、通信処理部１１を通じて給湯機１へ制御信号を送ったり、同じく通信処理部１１を通じて他のリモコンへ音声信号を送ったりする。なお、中央制御部１０やその周囲の回路の一部は、マイクロコンピュータを中心に具現化することができ、該マイクロコンピュータが内蔵する又は外付けのＲＯＭに格納した制御プログラムを実行することにより、各種の制御を遂行することができる。本実施例の給湯システムでは、台所リモコン３と浴室リモコン２との間で行われる通話のための通信路を確立すべく実行される各リモコン２、３での動作に特徴を有する。
【００１０】
以下、この点について、上記中央制御部１０による制御の下でのリモコン２、３の動作を中心に説明する。リモコン２、３間での通話の際には、いずれにも優先権が設定されないか、或いは一方に優先権が設定される。この優先権が設定されているか否かの判断条件として、通信処理部１１の中の変復調部１１３においてインターホンに用いられる音声データが一定時間以上受信されておらず、かつマイク１７からの音声入力が定められた閾値を一定時間以上持続された場合に、操作部１２に備えた歪みセンサーからの出力結果が非接触であるという条件でのみ通話の優先権が設定される。
【００１１】
上記処理を図４のフローチャートに示す。フローチャートに従って処理を説明する。まず操作部１２によってインターホン機能を選択される（Ｓ１０）とリモコン自身音声データが受信されていないことを確認する。（Ｓ１１）受信されていなければタイマ１で一定時間継続しているかどうか計測する。ここでは例えば１０ｍｓｅｃ間（Ｓ１２）。もし継続しておればマイクからの入力が規定の閾値以上であるかどうか調べる（Ｓ１３）。もし閾値以上あればタイマ２で一定時間継続しているかどうか計測する。ここでは例えば２０ｍｓｅｃ（Ｓ１４）。もし継続していると有効な音声入力と判断して歪みセンサからの出力の有無を検査する（Ｓ１５）。ここで歪みセンサからの出力がなければ、即ちリモコンケースが外的な接触による歪みがなければ音声のみがマイクに入力されていると判断し、マイクの優先権を設定する。また、Ｓ１１のところで音声受信データが有った場合は第二のリモコンがマイクの優先権を設定していると判断し各タイマ１，２の値をリセットする。（Ｓ１８，Ｓ１９）またＳ１１、Ｓ１２、Ｓ１３，Ｓ１４において条件を満たさない時もマイクの優先権を設定するには不十分と判断して各タイマ１，２の値をリセットする。ここで上記Ｓ１１からＳ１４までの条件を満たしていても歪みセンサによる出力があった場合はマイクからの音声はリモコンケースに接触して発生した音と判断し、マイクの優先権を設定するには不十分として各タイマ１、２の値をリセットする（Ｓ１６）。このようにマイクの優先権設定処理を行う上記処理によれば例えば浴室内でインターホン機能を使用中に会話が途切れている状況で不意に同室の子供などが触れた場合でも優先権が切り替わらず利便性が向上する。
【図面の簡単な説明】
【図１】本発明の適用対象である住宅設備機器システムの一例である給湯システムの概略構成を示す図。
【図２】本実施例の給湯システムにおけるリモコンの電気系の機能的構成を示すブロック図。
【図３】住宅設備機器システムにおける搬送波信号の周波数特性を示す図。
【図４】本実施例のリモコンにおけるインターホン機能のマイク優先権設定処理を示すフローチャート。
【符号の説明】
１…給湯機
１０…中央制御部
１０１…ＣＰＵ
１０２…タイマ
１０３…ＲＯＭ
１０４…ＲＡＭ
１１…通信処理部
１１１…搬送波信号生成部
１１２…分離・混合部
１１３…変復調部
１２…操作部
１３…表示制御部
１４…表示器
１５…音声入出力制御部
１６…スピーカ
１７…マイク
２…浴室リモコン
３…台所リモコン
４…通信線
【図１】
2004316952.tif 000003
【図２】
2004316952.tif 000004
【図３】
2004316952.tif 000005
【図４】
2004316952.tif 000006